(57)【要約】【課題】  ディスプレイ型の視標呈示装置の検査距離を短くできる視標呈示用ミラーボックス及びこれを備える視標呈示装置を提供すること。【解決手段】  検査視標をディスプレイに呈示するディスプレイ型の視標呈示ユニットと共に使用される視標呈示用ミラーボックスにおいて、前記視標呈示ユニットからの検査視標光束を等倍で被検者眼に導くための複数の平面ミラーであって，前記ミラーボックス内の所定位置に配置された前記視標呈示ユニットからの検査視標光束の光軸上に配置されたミラー群と、前記ミラー群によって導かれた検査視標光束を被検者眼に呈示するための呈示窓と、前記ミラー群中の少なくとも２つの平面ミラーの配置位置を変更するためのミラー配置位置変更部と、を備えること。【選択図】      図２
2011072432.tif 000002
【特許請求の範囲】
【請求項１】
検査視標をディスプレイに呈示するディスプレイ型の視標呈示ユニットと共に使用される視標呈示用ミラーボックスにおいて、
前記視標呈示ユニットからの検査視標光束を等倍で被検者眼に導くための複数の平面ミラーであって，前記ミラーボックス内の所定位置に配置された前記視標呈示ユニットからの検査視標光束の光軸上に配置されたミラー群と、
前記ミラー群によって導かれた検査視標光束を被検者眼に呈示するための呈示窓と、
前記ミラー群中の少なくとも２つの平面ミラーの配置位置を変更するためのミラー配置位置変更部と、
を備える、
ことを特徴とする視標呈示用ミラーボックス。
【請求項２】
請求項１の視標呈示用ミラーボックスは、さらに、
前記ミラー群中の少なくとも１つの平面ミラーと前記呈示窓とを介して固視点視標を被検者眼に呈示する発光部を備える、
ことを特徴とする視標呈示用ミラーボックス。
【請求項３】
請求項２の視標呈示用ミラーボックスにおいて、
前記ミラー群は、前記視標呈示ユニットからの検査視標光束と前記発光部からの固視点視標光束とを最初又は最後に反射する，視標光束の光軸と固視点視標光束の光軸とを一致させる回転可能な全反射ミラーを含む、
ことを特徴とする視標呈示用ミラーボックス。
【請求項４】
請求項１の視標呈示用ミラーボックスにおいて、
前記ミラー群は、前記視標呈示ユニットからの検査視標光束と前記発光部からの固視点視標光束とを最初に反射する，視標光束の光軸と固視点視標光束の光軸とを一致させるハーフミラーを含む、
ことを特徴とする視標呈示用ミラーボックス。
【請求項５】
請求項１〜４の何れかの視標呈示用ミラーボックスと、
検査視標をディスプレイに呈示するディスプレイ型の視標呈示ユニットと、
を備える、
ことを特徴とする視標呈示装置。
【発明の詳細な説明】
【技術分野】
【０００１】
本発明は、被検者眼に検査視標を呈示する視標呈示装置と共に使用される視標呈示用ミラーボックス及びこれを備える視標呈示装置に関する。
【背景技術】
【０００２】
被検者眼の視力等の視機能を検査するために検査視標を呈示する視標呈示装置としては、ディスク上に形成された検査視標をランプで照明して凹面鏡で拡大投影することによって被検者眼に呈示する省スペース型の視標呈示装置が知られている（例えば、特許文献１参照）。また、近年、ＬＣＤ（Liquid Crystal Display）等のディスプレイに検査視標を表示（呈示）する視標呈示装置が提案されている（例えば、特許文献２参照）。
【先行技術文献】
【特許文献】
【０００３】
【特許文献１】特開平７−２３６６１２号公報
【特許文献２】特開２００８−２０６６７５号公報
【発明の概要】
【発明が解決しようとする課題】
【０００４】
特許文献１に示されるような省スペース型の視標呈示装置は、検査距離（被検者眼と装置の間の距離）を短くできるが、ディスク上に検査視標を形成する構成であるため、検査視標の自由度が乏しい。一方、特許文献２に示されるようなディスプレイ型の視標呈示装置は、ディスプレイ上に比較的自由に検査視標を形成（表示）できるが、ディスプレイの解像度の面から省スペース型の視標呈示装置に比べて長い検査距離が必要となる。
【０００５】
本発明は、上記従来技術の問題点に鑑み、ディスプレイ型の視標呈示装置の検査距離を短くできる視標呈示用ミラーボックス及びこれを備える視標呈示装置を提供することを技術課題とする。
【課題を解決するための手段】
【０００６】
本発明は、上記課題を解決するために、以下の構成を備えることを特徴とする。
（１）  検査視標をディスプレイに呈示するディスプレイ型の視標呈示ユニットと共に使用される視標呈示用ミラーボックスにおいて、前記視標呈示ユニットからの検査視標光束を等倍で被検者眼に導くための複数の平面ミラーであって，前記ミラーボックス内の所定位置に配置された前記視標呈示ユニットからの検査視標光束の光軸上に配置されたミラー群と、前記ミラー群によって導かれた検査視標光束を被検者眼に呈示するための呈示窓と、前記ミラー群中の少なくとも２つの平面ミラーの配置位置を変更するためのミラー配置位置変更部と、を備えることを特徴とする。
（２）  （１）の視標呈示用ミラーボックスは、さらに、前記ミラー群中の少なくとも１つの平面ミラーと前記呈示窓とを介して固視点視標を被検者眼に呈示する発光部を備えることを特徴とする。
（３）  （２）の視標呈示用ミラーボックスにおいて、前記ミラー群は、前記視標呈示ユニットからの検査視標光束と前記発光部からの固視点視標光束とを最初又は最後に反射する，視標光束の光軸と固視点視標光束の光軸とを一致させる回転可能な全反射ミラーを含む、ことを特徴とする。
（４）  （１）の視標呈示用ミラーボックスにおいて、
前記ミラー群は、前記視標呈示ユニットからの検査視標光束と前記発光部からの固視点視標光束とを最初に反射する，視標光束の光軸と固視点視標光束の光軸とを一致させるハーフミラーを含むことを特徴とする。
（５）  （１）〜（４）の何れかの視標呈示用ミラーボックスと、検査視標をディスプレイに呈示するディスプレイ型の視標呈示ユニットと、
を備える、ことを特徴とする。
【発明の効果】
【０００７】
本発明によれば、ディスプレイ型の視標呈示装置の検査距離を短くできる。
【発明を実施するための形態】
【０００８】
以下、本発明の実施の形態を図面に基づいて説明する。図１は、本発明の一実施形態である視標呈示ユニット１及び視標呈示用ミラーボックス６０を含む検眼システムの概略構成図である。図２（ａ）及び（ｂ）は、ミラーボックス６０の概略構成図である。図３は、視標呈示ユニット１及びミラーボックス６０の制御系を示す概略ブロック図である。
【０００９】
ミラーボックス６０は、筐体６１内にディスプレイ型の視標呈示ユニット１が収められ、視標呈示ユニット１で呈示された検査視標を筐体６１内に配置された複数のミラーで呈示窓６３に導き、被検者眼に検査視標を呈示する。呈示窓３の高さは、被検者が椅子等に座ったときの被検者眼の高さと同程度（１００〜１３０ｃｍ程度）とされている。
【００１０】
視標呈示ユニット１の筐体２の前面には、視標呈示部３であるディスプレイ４が配置されている。なお、視標呈示ユニット１は、単体として用いられても検眼に適した検査視標が呈示できる構成とされている。ディスプレイ４は、被検者（被検者眼）との距離（検査距離）が５ｍ等の遠方（遠用）距離に設置された場合でも視力値０．１等の大きなサイズの視力検査用視標を表示可能なサイズを持つ画面を備える。また、検査距離が５ｍ等の遠方距離に設置された場合でも視力値２．０等の小さなサイズの視力検査用視標を表示可能な解像度を持つ画面を備える。なお、検査視標は、呈示部３の中心軸Ｌを基準に呈示される。また、本実施形態では、ディスプレイ４は、カラーの液晶ディスプレイとされている。また、ディスプレイ４は、偏光機能を持つ。図示は略すが、ディスプレイ４の前面には２つの光学領域を持つ光学フィルタが配置される。光学フィルタは、それぞれの光学領域を通過した光の偏光軸を互いに直交させる機能を有する。この光学フィルタは、ディスプレイ４の画素の大きさに対応する縦ライン状の２つの光学領域が横方向に交互に並べられている。または、ディスプレイ４の画素の大きさに対応する横ライン状の２つの光学領域が縦方向に交互に並べられている。
【００１１】
呈示部３に呈示される検査視標の選択等は、選択手段であるリモコン２０からの信号に基づいて行われる。リモコン２０には、視力値検査用視標、両眼視機能検査用視標、等を選択するための視標選択スイッチ２１、呈示窓６３から呈示される検査視標の呈示角度を変更するための呈示角度調整スイッチ２２、等が設けられている。リモコン２０の前方には、信号を送信する送信部２５が設けられている。また、筐体２の正面の下方には、リモコン２０からの信号を受信する受信部５が設けられている。
【００１２】
このような視標呈示ユニット１をミラーボックス６０に収めることによって視標呈示装置１００が構成される。視標呈示装置１００を用いて検査が行われる場合、被検者眼の前にはフォロプタやレフラクタと呼ばれる検眼装置８０が配置される。検眼装置８０は、右眼用の検査窓８０Ｒと左眼用の検査窓８０Ｌとを備え、各検査窓に球面レンズ、円柱レンズ、偏光板、マドックスロッド（マドックスレンズ）、等が切換え配置される。
【００１３】
次に、視標呈示装置１００（ミラーボックス６０）の内部構成を説明する。図２（ａ）は、視標呈示装置１００（ミラーボックス６０）を右側面から見た透視図であり、図２（ｂ）は、正面から見た透視図である。ミラーボックス６０は、呈示窓６３と、視標呈示ユニット１の呈示部３（ディスプレイ４）に表示された検査視標を等倍で投影して呈示窓６３に導くためのミラー群（ミラー７１〜７６）と、ミラー７１を回転させる駆動部７１ａと、ミラー７６を回転させる駆動部７６ａと、ミラー７３の固定部材７３ａと、ミラー７４の固定部材７４ａと、固視点視標を呈示するための発光部６４と、を備える。
【００１４】
ミラーボックス６０の筐体６１は、視標呈示ユニット１及びミラー７１〜７６を収納可能な大きさを持ち、視標呈示ユニット１を収納後でもユーザ等が筐体６１内のミラー等の位置を変更できるように開閉可能な図示なきカバーを備える。また、筐体１内は、内部での光の散乱を抑えるために黒色とされている。呈示窓６３は、筐体６１を出来るだけ小さくするために、筐体６１の最上部の前面に設けられている。なお、視標呈示ユニット１は、図示を略す固定部材によって筐体６１内の所定位置に配置される。
【００１５】
視標呈示ユニット１は、単独で使用される場合と同様に、筐体６１内に正立して配置される。呈示部３に呈示された検査視標の光束が、ミラー７１〜７６によって呈示窓６３に導かれる。ミラー７１〜７６は、反射面が平面とされており、呈示部３に呈示された検査視標を等倍でリレーする。このため、ミラー７１〜７６の反射面の大きさは、呈示部３から離れるにつれて小さくできる。
【００１６】
呈示部３の正面には、ミラー７１が配置されている。ミラー７１は、平面のミラーとされており、配置された状態で呈示部３、受信部５及び６５を覆い、呈示部３の画面をミラー７２に導くことが出来る程度の大きさを持つ。ミラー７１を回転させる駆動部７１ａは、水平な回転軸を有し、ミラー７１を呈示部３に対して９０度回転させる。ミラー７１が回転されることにより、呈示部３と対向する位置に配置された発光部６４からの固視点視標光束の光軸が呈示部３からの検査視標光束の光軸Ｌと一致する。なお、点線で示すミラー７１ｒは、ミラー７１が駆動部７１ａによって回転された位置を示す。
【００１７】
ミラー７２は、ミラー７１で反射された光束をミラー７３に導く。ミラー７２は、筐体６１の空間を効率的に利用するために、ミラー７１からの光束を９０度回転させる。ミラー７２で反射された光束は、ミラー７３、７４及び７５を介して呈示窓６３に位置するミラー７６に導かれる。ミラー７３及び７４は、図示するように、ミラー配置位置変更部である固定部材７３ａ及び７４ａに固定されており、ユーザによって配置位置を変更できる構成となっている。本実施形態では、ミラー７３及び７４の配置位置をそれぞれ３段階変更できるように、固定部材７３ａ及び７４ａがそれぞれ３つ設けられている。ミラー７２〜７５が、平面のミラーとされるため、ミラー７３及び７４の配置位置を光軸Ｌ上に沿って変更しても、呈示窓６３で呈示される検査視標に歪み等が起こらない。
【００１８】
ミラー７２とミラー７３との距離（光路）及びミラー７４とミラー７５の距離をそれぞれ変更することにより、視標呈示装置１００と被検者眼との距離（検査距離）を変更することができる。固定部材７３ａ（７４ａ）における間隔Ｄは、検査距離の変更したい距離によって定める。本実施形態では、距離Ｄは２５ｃｍ程度とする。これにより、ミラー７３及び７４の位置を変更することによって検査視標光束の光路を５０ｃｍ単位で変更することができる。なお、ミラー７３及び７４の配置位置の変更は、電動で行われる構成としてもよい。この場合、視標呈示ユニット１の検査距離がリモコン２０で設定される構成としてもよい。
【００１９】
ミラー７４で反射された光束は、ミラー７５で９０度回転されると共に、上方へ反射され、ミラー７６に到る。ミラー７６で反射された光束は、呈示窓６３を通って被検者眼に到る。前述のように、ミラー７１〜７６が配置されることにより、呈示部３で呈示された検査視標の向きが変わることなく呈示窓６３から被検者眼に投影される。なお、ミラー７６を回転させる駆動部７６ａは、水平な回転軸を有し、ミラー７６の反射面の角度を呈示窓６４に対して垂直方向に変更できる構成とされている。ミラー７６の反射面の角度が変更されることにより、被検者眼の高さが異なる場合でも、呈示窓６３から適切に検査視標を被検者眼に呈示することができる。特に、偏光を用いて両眼視機能を検査する場合、ミラー７６の向きが適切でないと、左右眼にそれぞれ呈示される視標が定まらない。このため、ミラー７６の向きは被検者ごとに調整する必要がある。
【００２０】
発光部６４は、ＬＥＤ、ハロゲンランプ、等の発光素子で構成されている。この発光素子は、好ましくは白色光を出射する素子である。発光部６４の光軸は、ミラー７１がミラー７１ｒの状態にされたときに光軸Ｌと一致するように配置されている。なお、発光部６４の輝度は、単独で発光した光が呈示窓６３から投影されて固視点視標として視認し易いように、ディスプレイ３の背景輝度よりも高いことが好ましい。また、発光部６４は、呈示窓６３からみて呈示部３までの距離と同じ程度となるように配置されていることが好ましい。言い換えると、検査視標光束と発光部の光路の長さが同一となることが好ましい。これにより、被検者眼が呈示窓６３を介して発光部６４（固視点視標）を見たときに、呈示部３と同様の検査距離を持って視認されることとなる。
【００２１】
なお、呈示部３によって呈示される検査視標等の背景輝度（白色背景）は、８０〜３２０ｃｄ／ｍ2の範囲とされ、好ましくは２００ｃｄ／ｍ2程度とされる。このため、ディスプレイ４からの光が前述の背景輝度の範囲に入るような照明光量を持つものとされる。発光部６４の輝度は、呈示部３で固視点視標とされた際に上記の背景輝度の範囲で定められたディスプレイ４（のバックライト）の輝度よりも高いものとされることが好ましい。
【００２２】
なお、ミラー７６の両脇には、位置検出素子であるＰＳＤ６９が設けられている。ＰＳＤ６９は、リモコン２０からの信号を受け、リモコン２０の高さを検出する機能を持つ。
【００２３】
次に、視標呈示ユニット１及びミラーボックス６０の制御系について説明する。視標呈示ユニット１は、ディスプレイ４、受光部５、メモリ８、等が接続された制御部７を備える。受光部５は、リモコン２０からの信号を受信して制御部７に送る。一方、ミラーボックス６０は、発光部６４、受光部６５、メモリ６８、ＰＳＤ６９、駆動部７１ａ及び７６ａ、等が接続された制御部６７を備える。受光部６５は、受光部５同様に、リモコン２０からの信号を受信して制御部６７に送る。受光部６５は、固定部にて筐体６１内で固定され、呈示部３付近に配置される。なお、受信部６５及び受信部５は、検眼の妨げとならないように、目立たないような外観であることが好ましい。
【００２４】
メモリ６８には、リモコン２０のスイッチ２１等でマドックス斜位検査が選択された際に発光部６４を点灯するとともに駆動部７１ａによってミラー７１を回転させるプログラムが記憶されている。また、メモリ８には、スイッチ２１等でマドックス斜位検査が選択された際にディスプレイ４を消灯するプログラムが記憶されている。
【００２５】
なお、被検者眼の高さに合わせたリモコン２０のスイッチ２１を操作すると、その信号をＰＳＤ６９が受信し、制御部６７に送る。制御部６７では、リモコン２０の高さを計算し、リモコン２０が位置する高さにミラー７６を向けるように、駆動部７６ａを制御する。このようにして、何れの高さにある被検者眼にも検査視標を適切に呈示することができる。
【００２６】
なお、受光部５、６５に対応する入力部を筐体６１の外部に設け、入力部にて信号を受信し、入力部が受光部５、６５に信号を送る構成としてもよい。また、ミラーボックス６０と視標呈示ユニット１とを一体的に制御する構成としてもよいお。例えば、制御部７と制御部６７を統合した制御部を設け、この制御部に指令信号を入力する入力部を設ける構成とする。また、制御部６７と制御部７のいずれかを主制御部として、一体的にミラーボックス６０及び視標呈示ユニット１を制御する構成としてもよい。
【００２７】
このようにして、ミラー７１〜７６によって等倍で呈示部３に呈示された検査視標を呈示窓６３から呈示できる視標呈示装置１００が構成される。このとき、ミラー７１〜７６までの距離を設定することにより、視標呈示ユニット１から被検者眼までの検査距離を１ｍ前後にすることができる。例えば、ミラー７１と呈示部３との距離（光軸Ｌに沿った距離）を２５ｃｍ、ミラー７１とミラー７２との間を７５ｃｍ、ミラー７２とミラー７３との間を７５ｃｍ、ミラー７３とミラー７４との間を７５ｃｍ、ミラー７４とミラー７５との間を５０ｃｍ、ミラー７５とミラー７６との距離を１ｍ、とし、視標呈示ユニット１で設定した検査距離を５ｍとすると、視標呈示装置１００の検査距離（呈示窓６３から被検者眼までの距離）は１ｍとなる。
【００２８】
このようにして、ディスプレイ型の視標呈示装置（ここでは、視標呈示ユニット１）の検査距離を短くすることができる。これにより、ディスプレイの解像度を高めることなく、検査距離を短くできる。また、ミラー群（ここでは、ミラー７３及び７４）の配置位置を変更することにより、視標呈示装置１００と被検者眼との検査距離を変更することができる。
【００２９】
以上のような構成を有する装置の動作を説明する。ここでは、視力値検査及びマドックス斜位検査について説明する。マドックス斜位検査にについて図４に基づいて説明する。マドックス斜位検査は、例えば、特開平８−１６８４６６号公報に開示されている。
【００３０】
検者は、リモコン２０のスイッチ２２等を操作してミラー７６の角度を調整し、検査視標を適切に被検者眼に呈示できるようにする。そして、検者がリモコン２０のスイッチ２１等を操作して視力値検査を選択すると、その信号は、送信部２５から所定コードの光信号に変換されて送信される。光信号は、呈示窓６３及びミラー７１〜７６を介して受信部５で受信され、受信された信号は制御部７に入力される。制御部７は、受信された信号に基づいてメモリ８から視力値検査用のデータを呼び出し、ディスプレイ４の制御を行い、呈示部３に検査視標を呈示する。呈示部３に呈示された検査視標は、ミラー７１〜７６で導かれ、呈示窓６３を介して被検者眼に呈示される（図２参照）。検者は、視力値検査用の視標をリモコン２０で切換えて呈示窓６３に呈示し、被検者眼の視力値を検査する。
【００３１】
一方、スイッチ２１等でマドックス斜位検査が選択された場合、制御部７は、ディスプレイ４を消灯する。また、制御部６７は、発光部６４を点灯し、駆動部６１ａを制御してミラー６１を９０度回転させる（図２の点線７１ｒの位置に配置する）。これにより、呈示窓６３には、固視点視標５１が呈示される。このとき、固視点視標５１の周辺は、黒色の背景５０とされる。このようにして、黒色の背景５０に白色の固視点視標５１が呈示される。なお、マドックス斜位検査では、ディスプレイ４は消灯されていることが好ましいが、点灯されていてもよい。また、ディスプレイ４の一面を黒色としてもよい。
【００３２】
マドックス斜位検査が行われる場合には、被検者の一方の眼の前にマドックスロッド９０が配置される。例えば、右眼Ｒの前にマドックスロッド９０が配置される。このため、右眼Ｒでマドックスロッド９０を介して遠方にある固視点視標５１を見ると、円柱の軸に対して垂直な方向に線状光線５２が見える。つまり、水平斜位の検査のために円柱９１が右眼Ｒに対して水平方向に配置された場合には、垂直方向に線状光線５２が見える。一方、上下斜位の検査のために円柱９１が右眼Ｒに対して垂直方向に配置された場合には、水平方向に線状光線５２が見える。
【００３３】
左眼Ｌには固視点視標５１が認識され、右眼Ｒには垂直方向に伸びる線状光線５２が認識される。両眼で固視点視標５１と線状光線５２とが認識されたら、検者は、被検者に対して固視点視標５１と線状光線５２との位置が一致するか否か（左右方向にずれているか否か）を確認する。一致しない場合、左眼Ｌの前にプリズムが配置され、固視点視標５１と線状光線５２とが重なるようにプリズム量の調節が行われる。このプリズムの調節量から、被検者眼の斜位の度合いが判定される。
【００３４】
このようにして、左眼Ｌに呈示された固視点視標５１と右眼Ｒに呈示された線状光線５２とにより、水平斜位が検査される。
【００３５】
なお、マドックスロッド９０は、固視点視標を視認し易い線状光線とするために、周辺からの光（外乱光）を減光する特性を持つ。これにより、固視光以外の刺激光の検査に対する影響が抑えられる。このため、ディスプレイ４の照明光で固視点視標が呈示されると、固視点視標がマドックスロッド９０を介して被検者眼に認識され難くなる。また、上記の輝度の範囲に対応して設定されたディスプレイ４の輝度（照明光量）をマドックス斜位検査の際に別の照明光を発する発光部６４を用いることにより、輝度値の高い固視点視標が得られる。発光部６４の発光によって固視点視標の輝度を向上させることにより、被検者眼が線状光線（マドックスロッドを介した固視点視標）を認識し易くなる。これにより、被検者眼に認識され易いマドックス斜位検査用固視点視標を呈示することができ、より正確なマドックス斜位検査を行うことができる。また、発光部６４がミラー７１を挟んで視標呈示ユニット１と対向して配置され、光路をミラー７１で切換るため、視力値検査用視標と固視点視標とが混在しない。これにより、視力値検査のような通常の背景輝度の検査では発光部６４が検査の邪魔にならない。また、発光部６４を光軸Ｌ上に置くことにより、マドックス斜位検査の精度が向上する。例えば、呈示部３の外周の上部に固視点視標となる点光源（例えば、ＬＥＤ）が配置された場合、この点光源は、光軸Ｌから外れた位置に置かれる。このため、被検者眼の斜位が誘発される場合がある。例えば、検査距離が５ｍとされ、この点光源の配置位置が中心軸Ｌから１０ｃｍの位置と想定されると、被検者眼が点光源を見ると２プリズム分のバイアスがある状態で斜位検査が行われることとなる。
【００３６】
なお、以上の説明では、ディスプレイ４として液晶ディスプレイが使用されているが、プラズマディスプレイ、有機ＥＬディスプレイ、ＳＥＤディスプレイ、等が使用されてもよい。
【００３７】
なお、以上の説明では、ミラー７１を呈示部３側と発光部６４側との間で９０度回転する構成としたが、発光部からの光を呈示窓６３に導ける構成であればよい。例えば、視標呈示ユニット１のディスプレイ４の周辺にＬＥＤ等からなる発光部を設け、マドックス斜位検査時には、ディスプレイ４を消灯すると共に発光部を点灯する。そして、発光部の光を光軸Ｌに一致させるように、ミラー７１を所定角度（少なくとも４５度より小さい角度である）回転させる。また、別の例として、ミラー７１の回転軸が水平ではなく鉛直であってもよい。
【００３８】
なお、以上の説明では、視標呈示ユニット１からの検査視標光束と発光部６４からの固視点視標光束とを最初に反射するミラー７１を回転させる構成としたが、ミラー群の少なくとも１枚のミラーを回転させる構成であればよい。検査視標光束及び固視点視標光束を最後に反射する最終ミラーであるミラー７６を回転させて固視点視標を呈示する構成としてもよい。この場合、ディスプレイ４付近の上又は下に発光部を設け、発光した発光部の光を光軸と一致させるように、ミラー７６を回転させる。これにより、ミラー７１を回転させる構成を設けることなく、マドックス検査視標を呈示できる。なお、ミラー７６の回転角度は、ＰＳＤ６９を介して取得された被検者眼の高さに、固視点視標光束の光軸を一致させる角度とされ、制御部６７により算出される。
【００３９】
また、以上の説明では、筐体６１内のミラー群を６枚としたが、偶数であれば何枚であってもよい。また、ミラー群は奇数枚であってもよい。この場合、筐体６１内に設置される視標呈示ユニット１を正立以外の方向で設置すればよい。
【００４０】
また、以上の説明では、ミラー７１を回転させる構成としたが、ミラー７１をハーフミラー（ビームスプリッタ）としてもよい。この場合、検査視標光束の光軸Ｌに発光部６４の光軸が一致するように発光部６４を配置する。マドックス斜位検査を行う場合は、視標呈示ユニット１を消灯し、発光部６４を点灯させる。
【００４１】
なお、以上の説明では、いずれかのミラーを回転させて発光部からの固視点視標を光軸と一致させる構成としたが、少なくとも１枚のミラーを介して固視点視標を呈示できる構成であればよい。例えば、可動アームに発光部を配置し、可動アームを駆動して発光部を光軸上に挿脱する構成としてもよい。このような場合、ディスプレイ４の前面の中央に発光部が挿脱可能に配置されるようにする。
【００４２】
なお、筐体６１の後部に空間を設け、検眼に関する備品を収納する構成としてもよい。以上の説明のように、視標呈示装置１００の検査距離を短くすることで、視標呈示装置１００の後方に空間ができる場合がある。このような場合に、筐体６１内に収納スペースがあると、視標呈示装置１００の後方の空間を有効に利用できる。
【図面の簡単な説明】
【００４３】
【図１】視標呈示ユニット及び視標呈示用ミラーボックスを含む検眼システムの概略構成図である。
【図２】視標呈示用ミラーボックスの概略構成図である。
【図３】視標呈示ユニット及び視標呈示用ミラーボックスの制御系を示す概略ブロック図である。
【図４】マドックス斜位検査を説明する図である。
【符号の説明】
【００４４】
１  視標呈示ユニット
３  呈示部
６０  視標呈示用ミラーボックス
６３  呈示窓
６４  発光部
７１〜７６  ミラー
７１ａ、７６ａ  駆動部
７３ａ、７４ａ  固定部材
１００  視標呈示装置
【図１】
2011072432.tif 000003
【図２】
2011072432.tif 000004
【図３】
2011072432.tif 000005
【図４】
2011072432.tif 000006